(57)【要約】【課題】端子がハウジングに適正に収容されているか否かを精度良く検知することと、嵌合の作業性を向上することと、を両立可能なコネクタの提供。【解決手段】コネクタ１は、端子Ｔ１ａ，Ｔ１ｂを収容可能な第１ハウジング１００と、第１ハウジングに装着されるスペーサ３００と、相手側端子Ｔ２ａ，Ｔ２ｂを収容可能な第２ハウジング２００と、を備える。スペーサは、嵌合の際に第２ハウジングにスペーサの嵌合阻止部３１１が接触して嵌合を妨げる仮係止位置と、嵌合を妨げることなく端子を保持する本係止位置と、の間において移動可能である。第２ハウジングは、嵌合方向への移動に伴って嵌合阻止部とは異なるスペーサの被押圧部３３２を押圧することによってスペーサを仮係止位置から本係止位置に向けて移動させる押圧部２２２、を有する。【選択図】図４
2019091573.tif 000002
【特許請求の範囲】
【請求項１】
端子を収容可能な第１ハウジングと、前記第１ハウジングに装着されるスペーサと、相手側端子を収容可能な第２ハウジングと、を備えたコネクタであって、
前記スペーサは、
前記第１ハウジングと前記第２ハウジングとの嵌合の際に前記第２ハウジングに該スペーサの嵌合阻止部が接触して前記嵌合を妨げる仮係止位置と、前記嵌合を妨げることなく前記第１ハウジングの適正位置に収容された前記端子を保持する本係止位置と、の間において移動可能であり、
前記第２ハウジングは、
嵌合方向への該第２ハウジングの移動に伴って前記嵌合阻止部とは異なる前記スペーサの被押圧部を押圧することによって前記スペーサを前記仮係止位置から前記本係止位置に向けて移動させる押圧部、を有する、
コネクタ。
【請求項２】
請求項１に記載のコネクタにおいて、
前記スペーサは、
前記仮係止位置にあるとき、前記第２ハウジングが前記嵌合阻止部に接触するよりも前に、前記第２ハウジングの前記押圧部が前記被押圧部に接触する、ように構成された、
コネクタ。
【請求項３】
請求項１又は請求項２に記載のコネクタにおいて、
前記押圧部及び前記被押圧部の少なくとも一方は、
前記嵌合方向に対して傾いた傾斜面を有し、前記嵌合の際の前記傾斜面の相対的移動によって前記押圧部による前記被押圧部の押圧が生じる、ように構成された、
コネクタ。
【請求項４】
請求項１〜請求項３の何れか一項に記載のコネクタにおいて、
前記第２ハウジングは、
前記押圧部として、前記嵌合方向に沿って延びる突条形状を有するリブを有し、
前記スペーサは、
前記被押圧部として、前記嵌合方向に沿って延びる溝形状を有すると共に前記リブを受け入れるガイド溝を有する、
コネクタ。
【発明の詳細な説明】
【技術分野】
【０００１】
本発明は、端子を収容可能な第１ハウジングと、第１ハウジングに装着されるスペーサと、相手側端子を収容可能な第２ハウジングと、を備えたコネクタに関する。
【背景技術】
【０００２】
従来から、ハウジングの端子収容室に端子が適正に収容されているか否かを検知する等の目的から、スペーサを備えたハウジングを用いたコネクタが提案されている。この種のスペーサは、例えば、端子が適正位置に収容されていない場合にはハウジング同士の嵌合を妨げる位置（仮係止位置）にあり、端子が適正位置に収容されている場合にはその嵌合を妨げない位置（本係止位置）にある、ように構成される。
【０００３】
従来のコネクタの一つは、一方のハウジングに装着したスペーサが仮係止位置にある場合にはスペーサの一部がそのハウジングの外表面から露出し、一方のハウジングと他方のハウジングとの嵌合の際、他方のハウジングがスペーサを一方のハウジングの内部に押し込んで本係止位置に移動させる、ようになっている。更に、この従来のコネクタは、端子が適正位置に収容されていない場合、スペーサが本係止位置に移動できずに仮係止位置に留まり、スペーサと他方のハウジングとが接触して嵌合が正常に完了しないようになっている。これにより、嵌合が正常に完了するか否かに基づき、端子が適正位置に収容されているか否かを検知できることになる（例えば、特許文献１を参照。）。
【先行技術文献】
【特許文献】
【０００４】
【特許文献１】特開２００３−２４９３０９号公報
【発明の概要】
【発明が解決しようとする課題】
【０００５】
上述した従来のコネクタでは、スペーサの一部分に傾斜面が設けられており、この傾斜面を他方のハウジングが押圧することにより、スペーサが本係止位置に向けて移動するようになっている。但し、端子が適正位置に収容されていなければ、傾斜面が押圧されてもスペーサが本係止位置に向けて移動せず、傾斜面が他方のハウジングに干渉して嵌合が妨げられるようになっている。換言すると、スペーサを移動させるための外力が及ぼされる箇所（傾斜面）と、端子が適正位置に収容されていない場合に他方のハウジングと干渉する箇所（傾斜面）と、が共通している。
【０００６】
そのため、嵌合に要する力を小さくするために傾斜面の傾きを緩やかにすると、端子が適正位置に収容されていなくても（スペーサが仮係止位置に留まっていても）、他方のハウジングがスペーサの傾斜面を乗り越えて嵌合が完了してしまう（誤検知が生じる）可能性がある。逆に、誤検知を抑制するために傾斜面の傾きを急にすると、端子が適正位置に収容されていても（スペーサが本係止位置に向けて移動できる状態であっても）、嵌合に要する力が大きくなって作業性が低下する可能性がある。しかし、コネクタの更なる性能向上等の観点から、誤検知を抑制しつつ、嵌合の作業性を向上することが望ましい。
【０００７】
本発明は、上述した事情に鑑みてなされたものであり、その目的は、端子がハウジングに適正に収容されているか否かを精度良く検知することと、嵌合の作業性を向上することと、を両立可能なコネクタ、を提供することにある。
【課題を解決するための手段】
【０００８】
前述した目的を達成するために、本発明に係るコネクタは、下記（１）〜（４）を特徴としている。
（１）
端子を収容可能な第１ハウジングと、前記第１ハウジングに装着されるスペーサと、相手側端子を収容可能な第２ハウジングと、を備えたコネクタであって、
前記スペーサは、
前記第１ハウジングと前記第２ハウジングとの嵌合の際に前記第２ハウジングに該スペーサの嵌合阻止部が接触して前記嵌合を妨げる仮係止位置と、前記嵌合を妨げることなく前記第１ハウジングの適正位置に収容された前記端子を保持する本係止位置と、の間において移動可能であり、
前記第２ハウジングは、
嵌合方向への該第２ハウジングの移動に伴って前記嵌合阻止部とは異なる前記スペーサの被押圧部を押圧することによって前記スペーサを前記仮係止位置から前記本係止位置に向けて移動させる押圧部、を有する、
コネクタであること。
（２）
上記（１）に記載のコネクタにおいて、
前記スペーサは、
前記仮係止位置にあるとき、前記第２ハウジングが前記嵌合阻止部に接触するよりも前に、前記第２ハウジングの前記押圧部が前記被押圧部に接触する、ように構成された、
コネクタであること。
（３）
上記（１）又は上記（２）に記載のコネクタにおいて、
前記押圧部及び前記被押圧部の少なくとも一方は、
前記嵌合方向に対して傾いた傾斜面を有し、前記嵌合の際の前記傾斜面の相対的移動によって前記押圧部による前記被押圧部の押圧が生じる、ように構成された、
コネクタであること。
（４）
上記（１）〜上記（３）の何れか一つに記載のコネクタにおいて、
前記第２ハウジングは、
前記押圧部として、前記嵌合方向に沿って延びる突条形状を有するリブを有し、
前記スペーサは、
前記被押圧部として、前記嵌合方向に沿って延びる溝形状を有すると共に前記リブを受け入れるガイド溝を有する、
コネクタであること。
【０００９】
上記（１）の構成のコネクタによれば、嵌合の際にスペーサを移動させるための外力が第２ハウジングの押圧部から及ぼされる箇所（スペーサの被押圧部）と、端子がハウジングに適正に収容されていない場合に第２ハウジングと干渉する箇所（スペーサの嵌合阻止部）と、が相違している。よって、上述した従来のコネクタのようにそれら２つの箇所（被押圧部および嵌合阻止部に相当する箇所）が共通する場合とは異なり、被押圧部および嵌合阻止部の各々を、各々の機能に特化した形状および配置などを有するように個別に設計できる。そのため、従来のコネクタのように誤検知の抑制と作業性の向上とが背反することがない。
【００１０】
したがって、本構成のコネクタによれば、端子がハウジングに適正に収容されているか否かを精度良く検知することと、嵌合の作業性を向上することと、を両立できる。
【００１１】
なお、上記「各々の機能に特化した形状」として、例えば、スペーサの被押圧部に対して従来のコネクタに比べて傾きが緩やかな傾斜面を設けた形状が挙げられる。これにより、従来のコネクタに比べ、嵌合に要する力を小さくできる。更に、例えば、スペーサの嵌合阻止部に対して従来のコネクタに比べて傾きが急な（例えば、嵌合方向に直交する）傾斜面を設けた形状が挙げられる。これにより、従来のコネクタに比べ、第２ハウジングが嵌合阻止部を誤って乗り越えることを抑制できる。
【００１２】
上記（２）の構成のコネクタによれば、第１ハウジングと第２ハウジングとの嵌合の際、第２ハウジングがスペーサの嵌合阻止部に接触するよりも前に、第２ハウジングの押圧部がスペーサの被押圧部に接触する。そのため、第２ハウジングが嵌合阻止部に近付く間に、十分に余裕を持ってスペーサを仮係止位置から本係止位置に移動させられるように、コネクタを設計できる。
【００１３】
上記（３）の構成のコネクタによれば、第２ハウジングの押圧部およびスペーサの被押圧部の少なくとも一方が、嵌合方向に対して傾いた傾斜面を有する。これにより、第１ハウジングと第２ハウジングとの嵌合の際、双方のハウジングを嵌合方向に移動させるだけで、傾斜面の相対的移動が生じ、スペーサを本係止位置に向けて移動させられる。
【００１４】
上記（４）の構成のコネクタによれば、嵌合の際、スペーサのガイド溝（被押圧部）に第２ハウジングのリブ（押圧部）が入り込むことになる。これにより、仮に嵌合中に双方のハウジングに多少のガタツキが生じても、押圧部と被押圧部とが接触した状態を確実に維持できる。よって、スペーサをより確実に本係止位置に向けて移動させられる。
【発明の効果】
【００１５】
本発明によれば、端子がハウジングに適正に収容されているか否かを精度良く検知することと、嵌合の作業性を向上することと、を両立可能なコネクタ、を提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、本発明の実施形態に係るコネクタの分解斜視図である。
【図２】図２（ａ）は、図１に示したメスハウジングの斜視図であり、図２（ｂ）は、図１に示したスペーサの斜視図である。
【図３】図３は、図１に示したオスハウジングの斜視図である。
【図４】図４は、両ハウジングの嵌合が開始される直前の段階における、図２及び図３のＡ−Ａ断面に相当するコネクタの断面図である。
【図５】図５は、両ハウジングの嵌合が開始されて、オスハウジングのガイドリブが仮係止位置にあるスペーサのガイド溝の傾斜面を押圧開始する段階における、図４に相当する断面図である。
【図６】図６は、両ハウジングの嵌合が進行して、オスハウジングのガイドリブがスペーサのガイド溝の傾斜面を押圧することでスペーサが仮係止位置から本係止位置に移動する途中の段階における、図４に相当する断面図である。
【図７】図７は、両ハウジングの嵌合が完了した段階における、図４に相当する断面図である。
【発明を実施するための形態】
【００１８】
＜実施形態＞
以下、図面を参照しながら、本発明の実施形態に係るコネクタ１について説明する。
【００１９】
図１に示すように、本発明の実施形態に係るコネクタ１は、メスハウジング１００と、メスハウジング１００と嵌合するオスハウジング２００と、メスハウジング１００に装着されるスペーサ３００と、を備える。
【００２０】
以下、図１に示すように、「嵌合方向」、「幅方向」、「上下方向」、「前」、「後」、「上」及び「下」を定義する。「嵌合方向」、「幅方向」及び「上下方向」は、互いに直交する。なお、メスハウジング１００及びスペーサ３００に対する嵌合方向の前後の向きと、オスハウジング２００に対する嵌合方向の前後の向きとは、逆になっている。
【００２１】
図１及び図２（ａ）を参照しながら、メスハウジング１００について説明する。樹脂製のメスハウジング１００は、嵌合方向に直交する方向に延びる平板状のプレート部１１０と、プレート部１１０から一体で嵌合方向両側に突出する略直方体状の本体部１２０と、を備える。プレート部１１０は、メスハウジング１００を、例えば車両の所定部位のパネルに取り付けるために設けられている。
【００２２】
本体部１２０には、複数の端子収容室１２１が嵌合方向に沿って貫通形成されている。複数の端子収容室１２１には、電線Ｗ１ａの端部にそれぞれが接続された複数のメス端子Ｔ１ａ（図１参照）を本体部１２０の相対的に上側領域に収容するための複数（本例では、５個）の端子収容室１２１ａと、電線Ｗ１ｂの端部にそれぞれが接続された複数のメス端子Ｔ１ｂ（図１参照）を本体部１２０の相対的に下側領域に収容するための複数（本例では、１２個）の端子収容室１２１ｂと、が含まれている。以下、特に断りのない限り、本体部１２０におけるプレート部１１０から前側に突出する部分を単に「本体部１２０」と呼ぶ。
【００２３】
本体部１２０の下部には、嵌合方向中央部の所定範囲かつ幅方向の全域に亘って、スペーサ３００を装着するためのスペーサ装着孔１２２が、下方に開口するように、且つ、複数の端子収容室１２１ｂを嵌合方向の前記所定範囲に亘って途中で分断するように、形成されている。なお、端子収容室１２１ｂの分断された部分は、本体部１２０にスペーサ３００が装着された状態で、スペーサ３００に形成された端子収容室１２１ｂ（図２（ｂ）参照）によって補完されるようになっている。
【００２４】
本体部１２０の幅方向両側面において、スペーサ装着孔１２２の直上位置には、幅方向外側に突出する一対の仮係止用突起１２３が形成されており、一対の仮係止用突起１２３の直上位置には、幅方向外側に突出する一対の本係止用突起１２４が形成されている。仮係止用突起１２３及び本係止用突起１２４は、スペーサ３００を仮係止位置及び本係止位置に係止するために設けられている。スペーサ３００の仮係止位置及び本係止位置については後述される。
【００２５】
本体部１２０の上下方向中央部には、端子収容室１２１と干渉しない位置にて、嵌合方向前方からみて一対のＬ字状の挿入孔１２５が、嵌合方向の前端面からプレート部１１０の近傍位置まで嵌合方向に沿って形成されている。一対の挿入孔１２５は、両ハウジングの嵌合時にオスハウジング２００の一対のＬ字状リブ２２１（図３参照）を挿入するために設けられている。よって、Ｌ字状の各挿入孔１２５は、対応するＬ字状リブ２２１に対応する形状を有するように、幅方向に延びる水平部分と、前記水平部分の幅方向内側端部から垂下する垂下部分と、を有する。一対の挿入孔１２５の垂下部分は、スペーサ装着孔１２２によって嵌合方向の前記所定範囲に亘って途中で分断されるように、スペーサ装着孔１２２と連通している。
【００２６】
一対の挿入孔１２５の垂下部分における嵌合方向の前記所定範囲よりも前側部分を幅方向に仕切るように上下方向に延びる本体部１２０の縦壁１２０ａの幅方向両側面には、嵌合方向に延びる一対のガイド溝１２６が嵌合方向全域に亘って形成されている。一対のガイド溝１２６は、両ハウジングの嵌合時にオスハウジング２００の一対のガイドリブ２２２（図３参照）を案内するために設けられている。よって、各ガイド溝１２６は、対応するガイドリブ２２２に対応する形状を有している。
【００２７】
本体部１２０の上面の一部の幅方向中央部には、上側に突出する嵌合係止用突起１２７が形成されている。嵌合係止用突起１２７は、両ハウジングの嵌合完了後に嵌合完了状態を維持させるために設けられている。嵌合係止用突起１２７については後述される。
【００２８】
次いで、図１及び図３を参照しながら、オスハウジング２００について説明する。樹脂製のオスハウジング２００は、略直方体状の本体部２１０と、本体部２１０から一体で上方かつ嵌合方向前方に突出すると共に前方に開口する箱状のホロー部２２０と、を備える。ホロー部２２０の内部空間Ｓは、両ハウジングの嵌合時にメスハウジング１００の本体部１２０が収容（内挿）される空間である。
【００２９】
本体部２１０には、複数の端子収容室２１１が嵌合方向に沿って貫通形成されている。複数の端子収容室２１１には、電線Ｗ２ａの端部にそれぞれが接続された複数のオス端子Ｔ２ａ（図１参照）を本体部２１０の相対的に上側領域に収容するための複数（本例では、５個）の端子収容室２１１ａと、電線Ｗ２ｂの端部にそれぞれが接続された複数のオス端子Ｔ２ｂ（図１参照）を本体部２１０の相対的に下側領域に収容するための複数（本例では、１２個）の端子収容室２１１ｂと、が含まれている。嵌合方向からみて、オスハウジング２００の複数の端子収容室２１１のそれぞれは、メスハウジング１００の対応する端子収容室１２１に対応する位置に配置されている。
【００３０】
ホロー部２２０の内部空間Ｓの上下方向中央部には、嵌合方向前方からみて一対のＬ字状リブ２２１が、本体部２１０の前端面（即ち、ホロー部２２０の内部空間Ｓの底面）からホロー部２２０の前端位置まで嵌合方向に沿って突出するように、形成されている。上述したように、一対のＬ字状リブ２２１は、両ハウジングの嵌合時にメスハウジング１００の一対の挿入孔１２５（図２（ａ）参照）に挿入される。各Ｌ字状リブ２２１は、ホロー部２２０の内部空間Ｓの側面を画成する側壁から幅方向内側に延びる水平部分と、前記水平部分の幅方向内側端部から垂下する垂下部分と、を有する。一対のＬ字状リブ２２１の垂下部分それぞれは、幅方向に所定の間隔を空けて互いに平行に対向配置されている。
【００３１】
一対のＬ字状リブ２２１の垂下部分の互いに対向する面には、嵌合方向に延びる突条形状の一対のガイドリブ２２２が嵌合方向全域に亘って形成されている。上述したように、一対のガイドリブ２２２は、両ハウジングの嵌合時にメスハウジング１００の一対のガイド溝１２６（図２（ａ）参照）によって案内される。
【００３２】
ホロー部２２０の内部空間Ｓの下面を画成する下壁２２３、及び、内部空間Ｓの上面の一部を画成する上壁２２４は、それぞれ、両ハウジングの嵌合時に、メスハウジング１００の本体部１２０の下壁１２９、及び、上壁１２８（図２（ａ）参照）と摺動するようになっている（図４〜図７参照）。ホロー部２２０の上壁２２４には、上下方向に貫通する係止用開口２２５が形成されている。両ハウジングの嵌合完了時に、係止用開口２２５の縁部がメスハウジング１００の嵌合係止用突起１２７（図２（ａ）参照）と係合することで、両ハウジングの嵌合完了状態が維持され得るようになっている（図７参照）。
【００３３】
次いで、図１及び図２（ｂ）を参照しながら、スペーサ３００について説明する。樹脂製のスペーサ３００は、略直方体状の本体部３１０と、本体部３１０の幅方向両端部から一体で上側に突出する平板状の一対の起立壁３２０と、本体部３１０の幅方向中央の上部から一体で上側に突出すると共に嵌合方向に延びる平板状の板状部３３０と、を備える。
【００３４】
本体部３１０には、メスハウジング１００の端子収容室１２１ｂにおけるスペーサ装着孔１２２によって分断された部分を補完するための複数の端子収容室１２１ｂが嵌合方向に沿って貫通形成されている。
【００３５】
一対の起立壁３２０における本体部３１０から上側に突出する上部の幅方向内側面には、幅方向外側に窪んだ一対の凹部３２１が形成されている。スペーサ３００がメスハウジング１００のスペーサ装着孔１２２に挿入された状態において、一対の凹部３２１の上縁部３２２が、メスハウジング１００の一対の仮係止用突起１２３（図２（ａ）参照）と係合すると、スペーサ３００が仮係止位置に係止されるようになっている。スペーサ３００の仮係止位置では、スペーサ３００の本体部３１０の下端部３１１が、メスハウジング１００の本体部１２０の下壁１２９から下方に突出する状態となる（図４及び図５参照）。スペーサ３００の下端部３１１は、嵌合方向（図１参照）に直交する面を有している。
【００３６】
一方、仮係止位置にあるスペーサ３００が上方に移動して、スペーサ３００の一対の上縁部３２２が、メスハウジング１００の一対の本係止用突起１２４（図２（ａ）参照）と係合すると、スペーサ３００が本係止位置に係止されるようになっている。スペーサ３００の本係止位置では、スペーサ３００の下端部３１１が、メスハウジング１００の下壁１２９と面一となって下壁１２９から下方に突出しない状態となる（図７参照）。
【００３７】
板状部３３０の幅方向両側面には、嵌合方向に延びる一対のガイド溝３３１が嵌合方向全域に亘って形成されている。ガイド溝３３１の上壁面３３２は、嵌合方向後方に移動するにつれて下側に位置するように嵌合方向に対して傾斜する傾斜面（平面）となっている。ガイド溝３３１の下壁面３３３は、嵌合方向に沿う平面となっている。
【００３８】
スペーサ３００がメスハウジング１００のスペーサ装着孔１２２に挿入された状態において、一対のガイド溝３３１の底壁は、メスハウジング１００の一対のガイド溝１２６の底壁と面一となる。そして、スペーサ３００の仮係止位置では、ガイド溝３３１の下壁面３３３がガイド溝１２６の下壁面より下側に位置すると共に、ガイド溝３３１の上壁面３３２の嵌合方向前端とガイド溝１２６の上壁面との上下方向の位置が一致するようになっている（図４及び図５参照）。一方、スペーサ３００の本係止位置では、ガイド溝３３１の下壁面３３３とガイド溝１２６の下壁面との上下方向の位置が一致すると共に、ガイド溝３３１の上壁面３３２の嵌合方向後端とガイド溝１２６の上壁面との上下方向の位置が一致するようになっている（図７参照）。
【００３９】
スペーサ３００が仮係止位置にある状態にて、メスハウジング１００の複数の端子収容室１２１ｂに対応するメス端子Ｔ１ｂの全てが適正に収容されている場合、スペーサ３００が本係止位置に移動できるように、且つ、メスハウジング１００の複数の端子収容室１２１ｂに対応するメス端子Ｔ１ｂの少なくとも１つが適正に収容されていない場合、適正に収容されていないメス端子Ｔ１ｂとスペーサ３００とが干渉してスペーサ３００が本係止位置に移動できないように、スペーサ３００及びメス端子Ｔ１ｂの形状が設計されている。
【００４０】
次いで、図４〜図７を参照しながら、両ハウジングを嵌合させる際の動作について説明する。図４に示すように、先ず、スペーサ３００が仮係止位置に係止されたメスハウジング１００の複数の端子収容室１２１ａ，１２１ｂに、それぞれ、電線Ｗ１ａが接続された複数のメス端子Ｔ１ａ及び電線Ｗ１ｂが接続された複数のメス端子Ｔ１ｂを収容する。また、オスハウジング２００の複数の端子収容室２１１ａ，２１１ｂに、それぞれ、電線Ｗ２ａが接続された複数のオス端子Ｔ２ａ及び電線Ｗ２ｂが接続された複数のオス端子Ｔ２ｂを収容する。そして、両ハウジングの嵌合方向前端面同士が対向するように、両ハウジングを配置する。
【００４１】
次いで、図５に示すように、オスハウジング２００のホロー部２２０でメスハウジング１００の本体部１２０を覆うように、両ハウジングを嵌合方向に徐々に近付けていき、嵌合を開始させる。これに伴い、オスハウジング２００のホロー部２２０の下壁２２３及び上壁２２４がそれぞれメスハウジング１００の下壁１２９及び上壁１２８と摺動開始される。更に、オスハウジング２００の一対のＬ字状リブ２２１がメスハウジング１００の一対の挿入孔１２５に挿入開始されることで、オスハウジング２００の一対のガイドリブ２２２がメスハウジング１００の一対のガイド溝１２６に挿入開始され案内開始される。この状態では、スペーサ３００が仮係止位置にあるので、スペーサ３００の下端部３１１が、メスハウジング１００の下壁１２９から下方に突出している。
【００４２】
そして、嵌合が進行して、図５に示すように、ガイド溝１２６に案内されながら前進するガイドリブ２２２の前端が、スペーサ３００のガイド溝３３１の上壁面３３２（傾斜面）の嵌合方向前端まで到達すると、それ以降、嵌合の進行に応じてガイドリブ２２２の前端が上壁面３３２を押圧することで、スペーサ３００は上向きの力を受けるようになる。
【００４３】
以下、先ず、メスハウジング１００の複数の端子収容室１２１ｂに対応するメス端子Ｔ１ｂの全てが適正に収容されている場合について説明する。この場合、スペーサ３００が仮係止位置から本係止位置に移動可能である。よって、図６に示すように、上壁面３３２（傾斜面）をガイドリブ２２２の前端が前進しながら押圧することにより、スペーサ３００が仮係止位置から本係止位置まで上側に（メスハウジング１００の本体部１２０の内部に）押し込まれていく。
【００４４】
このように、スペーサ３００が仮係止位置から本係止位置に移動することで、スペーサ３００の下端部３１１がメスハウジング１００の下壁１２９から下方に突出した状態が解消される。そのため、オスハウジング２００の下壁２２３がスペーサ３００の下端部３１１に干渉することで両ハウジングの嵌合が嵌合完了位置まで進行し得ない状態が解消されて、両ハウジングの嵌合が嵌合完了位置まで進行し得る状態となる。
【００４５】
そして、図７に示すように、両ハウジングの嵌合が嵌合完了位置まで進行すると、オスハウジング２００の係止用開口２２５の縁部がメスハウジング１００の嵌合係止用突起１２７と係合することで、両ハウジングの嵌合完了状態が維持される（両ハウジングの分離が防止される）。両ハウジングの嵌合完了状態では、複数のメス端子Ｔ１ａ及びオス端子Ｔ２ａの導通接続が完了すると共に、複数のメス端子Ｔ１ｂ及びオス端子Ｔ２ｂの導通接続が完了する。
【００４６】
次いで、メスハウジング１００の複数の端子収容室１２１ｂに対応するメス端子Ｔ１ｂの少なくとも１つが適正に収容されていない場合について説明する。この場合、スペーサ３００を仮係止位置から本係止位置に向けて移動させようとしても、適正に収容されていないメス端子Ｔ１ｂとスペーサ３００とが干渉することで、スペーサ３００が仮係止位置に維持される。そのため、スペーサ３００の下端部３１１が、メスハウジング１００の下壁１２９から下方に突出した状態が維持される。この結果、オスハウジング２００の下壁２２３がスペーサ３００の下端部３１１に干渉することで、両ハウジングの嵌合が嵌合完了位置まで進行し得ない。このように、嵌合が完了するか否かにより、端子収容室１２１ｂにメス端子Ｔ１ｂが適正に収容されているか否かを検知できる。
【００４７】
更には、両ハウジングを嵌合が進行する方向に無理に押し付けることで、ガイドリブ２２２の前端部が上壁面３３２（傾斜面）からの反力を受けて下方に変形したとしても、オスハウジング２００の下壁２２３は、ガイドリブ２２２とは異なる位置に配置されているので、ガイドリブ２２２の変形に伴って下側に変形することはない。そのため、オスハウジング２００の下壁２２３がスペーサ３００の下端部３１１を乗り越えて、嵌合が完了してしまう事態が発生し得ない。この結果、メスハウジング１００の端子収容室１２１ｂにメス端子Ｔ１ｂが適正に収容されているか否かを精度良く検知可能である。
【００４８】
以上に説明したように、本実施形態に係るコネクタ１によれば、メス端子Ｔ１ｂが端子収容室１２１ｂに適正に収容されていないときにオスハウジング２００の下壁２２３と干渉することになるスペーサ３００の下端部３１１（嵌合阻止部）と、嵌合時にオスハウジング２００のガイドリブ２２２（押圧部）に押圧されるスペーサ３００の上壁面３３２（被押圧部）と、がスペーサ３００の異なる箇所に配置されている。よって、上述した従来のコネクタのようにそれら２つの箇所（スペーサ３００の下端部３１１及び上壁面３３２に相当する部分）が共通する場合に比べ、それらの各々を、それぞれの機能に特化した形状および配置などを有するように個別に設計できる。そのため、従来のコネクタのように誤検知の抑制と作業性の向上とが背反することがない。
【００４９】
更に、メスハウジング１００とオスハウジング２００との嵌合の際、メスハウジング１００がスペーサ３００の下端部３１１（嵌合阻止部）に接触するよりも前に、オスハウジング２００のガイドリブ２２２（押圧部）がスペーサ３００の下端部３１１（嵌合阻止部）に接触する。そのため、オスハウジング２００がスペーサ３００の下端部３１１（嵌合阻止部）に近付く間に、十分に余裕を持ってスペーサ３００を仮係止位置から本係止位置に移動させられるように、コネクタ１を設計できる。
【００５０】
更に、オスハウジング２００のガイドリブ２２２（押圧部）及びスペーサ３００の上壁面３３２（被押圧部）のうち上壁面３３２が、嵌合方向に対して傾いた傾斜面となっている。これにより、両ハウジングの嵌合時、両ハウジングを嵌合が進行する方向に移動させるだけで、スペーサ３００を仮係止位置から本係止位置に移動させることができる。
【００５１】
更に、オスハウジング２００の押圧部として突条形状のガイドリブ２２２を用い、スペーサ３００の被押圧部として嵌合方向に延びるガイド溝３３１（の上壁面３３２）を用いることにより、仮に嵌合中にメスハウジング１００及びオスハウジング２００に多少のガタツキが生じても、ガイドリブ２２２（押圧部）と上壁面３３２（被押圧部）とが接触した状態を確実に維持できる。よって、スペーサ３００をより確実に本係止位置に向けて移動させられる。
【００５２】
更に、スペーサ３００のガイド溝３３１の嵌合方向の長さ（よって、上壁面３３２（傾斜面）の嵌合方向に対する傾斜角度）を変更することで、スペーサ３００を仮係止位置から本係止位置まで押し込む際に必要な両ハウジングの嵌合方向の力の大きさを任意に変更できる。また、スペーサ３００の下端部３１１（嵌合阻止部）に対して従来のコネクタのような傾斜面を設けないことで、従来のコネクタに比べ、オスハウジング２００の下壁２２３が下端部３１１（嵌合阻止部）を誤って乗り越えることを抑制できる。
【００５３】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５４】
例えば、上記実施形態では、スペーサ３００にガイド溝３３１が形成され、被押圧部として、ガイド溝３３１の上壁面３３２（傾斜面）が用いられている。これに対し、スペーサ３００にガイド溝３３１に相当する溝を形成することなく、スペーサ３００に上壁面３３２に相当する傾斜面のみが形成されていてもよい。
【００５５】
更に、上記実施形態では、オスハウジング２００のガイドリブ２２２（押圧部）及びスペーサ３００のガイド溝３３１（被押圧部）のうちガイド溝３３１側に嵌合方向に対して傾いた傾斜面（上壁面３３２）が形成されている。これに対し、ガイドリブ２２２側に、又は、ガイドリブ２２２とガイド溝３３１との双方に、嵌合方向に対して傾いた傾斜面が形成されていてもよい。
【００５６】
更に、上記実施形態では、オスハウジング２００の押圧部として、嵌合方向に延びる突条形状のガイドリブ２２２が採用されている。これに対し、オスハウジング２００の押圧部として、単なる突起が採用されてもよい。
【００５７】
ここで、上述した本発明に係るコネクタ１の実施形態の特徴を以下（１）〜（４）に簡潔に纏めて列記する。
（１）
端子（Ｔ１ａ，Ｔ１ｂ）を収容可能な第１ハウジング（１００）と、前記第１ハウジングに装着されるスペーサ（３００）と、相手側端子（Ｔ２ａ，Ｔ２ｂ）を収容可能な第２ハウジング（２００）と、を備えたコネクタ（１）であって、
前記スペーサは、
前記第１ハウジングと前記第２ハウジングとの嵌合の際に前記第２ハウジングに該スペーサの嵌合阻止部（３１１）が接触して前記嵌合を妨げる仮係止位置と、前記嵌合を妨げることなく前記第１ハウジングの適正位置に収容された前記端子を保持する本係止位置と、の間において移動可能であり、
前記第２ハウジングは、
嵌合方向への該第２ハウジングの移動に伴って前記嵌合阻止部とは異なる前記スペーサの被押圧部（３３２）を押圧することによって前記スペーサを前記仮係止位置から前記本係止位置に向けて移動させる押圧部（２２２）、を有する、
コネクタ。
（２）
上記（１）に記載のコネクタにおいて、
前記スペーサ（３００）は、
前記仮係止位置にあるとき、前記第２ハウジング（２００）が前記嵌合阻止部（３１１）に接触するよりも前に、前記第２ハウジングの前記押圧部（２２２）が前記被押圧部（３３２）に接触する、ように構成された、
コネクタ。
（３）
上記（１）又は上記（２）に記載のコネクタにおいて、
前記押圧部（２２２）及び前記被押圧部（３３２）の少なくとも一方は、
前記嵌合方向に対して傾いた傾斜面（３３２）を有し、前記嵌合の際の前記傾斜面の相対的移動によって前記押圧部による前記被押圧部の押圧が生じる、ように構成された、
コネクタ。
（４）
上記（１）〜上記（３）の何れか一つに記載のコネクタにおいて、
前記第２ハウジング（２００）は、
前記押圧部として、前記嵌合方向に沿って延びる突条形状を有するリブ（２２２）を有し、
前記スペーサは、
前記被押圧部として、前記嵌合方向に沿って延びる溝形状を有すると共に前記リブを受け入れるガイド溝（３３１）を有する、
コネクタ。
【符号の説明】
【００５８】
１    コネクタ
１００    メスハウジング（第１ハウジング）
２００    オスハウジング（第２ハウジング）
２２２    ガイドリブ（押圧部）
３００    スペーサ
３１１    下端部（嵌合阻止部）
３３１    ガイド溝
３３２    上壁面（被押圧部）
Ｔ１ａ，Ｔ１ｂ    メス端子（端子）
Ｔ２ａ，Ｔ２ｂ    オス端子（相手側端子）
【図１】
2019091573.tif 000003
【図２】
2019091573.tif 000004
【図３】
2019091573.tif 000005
【図４】
2019091573.tif 000006
【図５】
2019091573.tif 000007
【図６】
2019091573.tif 000008
【図７】
2019091573.tif 000009